(57)【要約】    【課題】  撮像前のリピーティング発光、および、撮像前の確認のための発光であるモデリング発光をさせる際の操作性のよいカメラおよびカメラシステムを提供する。    【解決手段】  電子カメラ１は、電源スイッチ２の操作によって電子カメラ１の電源がオンされた状態では、プレビューボタン９が押圧されている間は交換レンズＬの絞りを設定または制御絞り口径まで絞り込む。このとき、内蔵式閃光装置５が使用位置であれば、内蔵式閃光装置５のモデリング発光、または、リピーティング発光のテスト発光が行われる。プレビューボタン９が押圧されている間に、内蔵式閃光装置５のモデリング発光を行うか、または、リピーティング発光のテスト発光を行うかについては、電子カメラ１のカスタム設定操作によって決定される。【選択図】      図１
2007101858.tif 000002
【特許請求の範囲】
【請求項１】
撮影レンズの絞り込み状態を確認するためのプレビュー操作部材と、
前記プレビュー操作部材が操作されると前記撮影レンズの絞りを駆動する絞り駆動手段と、
被写体に光を照射する照明手段と、
前記照明手段に対して、被写体への光の照射状態を撮像前に確認するためのモデリング発光、または、撮像中に複数回発光させるリピーティング発光を行うように制御する照明制御手段と、
前記プレビュー操作部材が操作されたときに、前記モデリング発光が行われるか、または、前記リピーティング発光の状態を撮像前に確認するためのテスト発光が行われるかのいずれかの発光状態を選択する選択手段と、
前記プレビュー操作部材が操作されると、前記選択手段で選択された発光状態で前記照明手段が発光するように前記照明制御手段を制御する制御手段とを備えることを特徴とするカメラ。
【請求項２】
請求項１に記載のカメラにおいて、
前記選択手段は、前記照明手段の撮像時の発光状態とは異なる発光状態を選択可能であることを特徴とするカメラ。
【請求項３】
撮影レンズの絞り込み状態を確認するためのプレビュー操作部材と、
前記プレビュー操作部材が操作されると前記撮影レンズの絞りを駆動する絞り駆動手段と、
被写体に光を照射する発光部、および、前記発光部に対して、被写体への光の照射状態を撮像前に確認するためのモデリング発光、または、撮像中に複数回発光させるリピーティング発光を行うように制御する照明制御部とを有する外付け照明装置と、
前記プレビュー操作部材が操作されたときに、前記モデリング発光が行われるか、または、前記リピーティング発光の状態を撮像前に確認するためのテスト発光が行われるかのいずれかの発光状態を選択する選択手段と、
前記プレビュー操作部材が操作されると、前記選択手段で選択された発光状態で前記発光部が発光するように前記外付け照明装置を制御する制御手段とを備えることを特徴とするカメラシステム。
【発明の詳細な説明】
【技術分野】
【０００１】
本発明は、被写体に光を照射する照明手段を備えたカメラおよびカメラに対して着脱可能な照明手段を備えたカメラシステムに関する。
【背景技術】
【０００２】
被写体への光の照射状態を撮像前に確認するためのモデリング発光を行う閃光装置が知られている（特許文献１参照）。また、１回の撮像中に複数回発光するリピーティング発光を行う閃光装置が知られている（特許文献２参照）。
【０００３】
【特許文献１】特開平８−４３８９０号公報
【特許文献２】特開平８−６２６７３号公報
【発明の開示】
【発明が解決しようとする課題】
【０００４】
近年、特許文献１，２に開示されたモデリング発光とリピーティング発光の機能を用いることができるカメラが要望されており、また、この場合、リピーティング発光についても撮像前に確認のために発光させたいという要請がある。しかし、特許文献１，２には、モデリング発光機能とリピーティング発光機能の事前確認をどのように行うかについては言及されていない。
【課題を解決するための手段】
【０００５】
（１）  請求項１の発明によるカメラは、撮影レンズの絞り込み状態を確認するためのプレビュー操作部材と、プレビュー操作部材が操作されると撮影レンズの絞りを駆動する絞り駆動手段と、被写体に光を照射する照明手段と、照明手段に対して、被写体への光の照射状態を撮像前に確認するためのモデリング発光、または、撮像中に複数回発光させるリピーティング発光を行うように制御する照明制御手段と、プレビュー操作部材が操作されたときに、モデリング発光が行われるか、または、リピーティング発光の状態を撮像前に確認するためのテスト発光が行われるかのいずれかの発光状態を選択する選択手段と、プレビュー操作部材が操作されると、選択手段で選択された発光状態で照明手段が発光するように照明制御手段を制御する制御手段とを備えることを特徴とする。
（２）  請求項２の発明は、請求項１に記載のカメラにおいて、選択手段は、照明手段の撮像時の発光状態とは異なる発光状態を選択可能であることを特徴とする。
（３）  請求項３の発明によるカメラシステムは、撮影レンズの絞り込み状態を確認するためのプレビュー操作部材と、プレビュー操作部材が操作されると撮影レンズの絞りを駆動する絞り駆動手段と、被写体に光を照射する発光部、および、発光部に対して、被写体への光の照射状態を撮像前に確認するためのモデリング発光、または、撮像中に複数回発光させるリピーティング発光を行うように制御する照明制御部とを有する外付け照明装置と、プレビュー操作部材が操作されたときに、モデリング発光が行われるか、または、リピーティング発光の状態を撮像前に確認するためのテスト発光が行われるかのいずれかの発光状態を選択する選択手段と、プレビュー操作部材が操作されると、選択手段で選択された発光状態で発光部が発光するように外付け照明装置を制御する制御手段とを備えることを特徴とする。
【発明の効果】
【０００６】
（１）  請求項１の発明によるカメラでは、モデリング発光またはリピーティング発光のテスト発光を行うためにそれぞれ別々の操作スイッチを操作する必要がないので、操作性が向上する。
（２）  請求項２の発明によるカメラでは、照明手段による照射状態を確認する際に撮影者にとって確認しやすい発光状態を選択できるので、照射状態の確認が容易となって、撮影者の意図する画像を撮像できる。
（３）  請求項３の発明によるカメラシステムでは、モデリング発光またはリピーティング発光のテスト発光を行うためにそれぞれ別々の操作スイッチを操作する必要がないので、操作性が向上する。
【発明を実施するための最良の形態】
【０００７】
−−−第１の実施の形態−−−
図１〜３を参照して、本発明を適用したカメラの第１の実施の形態を説明する。図１は、第１の実施の形態の電子カメラ１の正面図である。カメラボディ１０の上面には、電子カメラ１の電源をオン・オフするためのメインスイッチ（電源スイッチ）２と、撮影を指示するレリーズボタン３と、撮影モードや再生モード等のカメラの撮影条件や動作のモードを設定するためのモードダイヤル４と、被写体を照明する内蔵式閃光装置５と、カメラボディ１に対して着脱可能な外付け閃光装置を装着するためのアクセサリシュー６とが設けられている。
【０００８】
カメラボディ１の正面には、交換レンズを装着するためのマウント７と、マウント７に装着した交換レンズを取り外すためのレンズ取り外しボタン８と、撮像前に交換レンズの絞りを設定または制御絞り口径まで絞り込むプレビュー動作を行うためのプレビューボタン９とが設けられている。カメラボディ１の背面には、撮像前の被写体像を確認するファインダー（不図示）と、撮像後の画像や、各種設定状態を表示する液晶モニタ（不図示）が設けられている。
【０００９】
図２は、電子カメラ１の構成を説明するブロック図である。演算回路１０１は、マイクロコンピュータなどによって構成される。演算回路１０１は、後述する各ブロックから出力される信号を入力して所定の演算を行い、演算結果に基づく制御信号を各ブロックへ出力する。演算回路１０１はさらに、不図示の通信回路を有して外付け閃光装置との間で通信が可能である。
【００１０】
撮像素子１２１は、ＣＣＤイメージセンサなどによって構成される。撮像素子１２１は、撮影用の交換レンズＬを通過した被写体光による像を撮像し、撮像信号をＡ／Ｄ変換回路１２２へ出力する。Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動される。
【００１１】
画像処理回路１２３は、ＡＳＩＣなどによって構成される。画像処理回路１２３は、ディジタル変換後の画像データにホワイトバランス処理などの画像処理を行う他、画像処理後の画像データを所定の形式で圧縮する圧縮処理、圧縮された画像データを伸長する伸長処理などを行う。バッファメモリ１２５は、画像処理回路１２３によって処理される画像データを一時的に格納する。記録媒体１２６は、カメラに対して着脱可能なメモリカードなどによって構成される。記録媒体１２６には、画像処理後の画像データが記録される。
【００１２】
位置検出スイッチＳＷ１は、内蔵式閃光装置５が図１の実線で示す格納位置にあるか、ポップアップ機構（不図示）によりポップアップされて図１の２点鎖線で示す使用位置にあるかを検出するマイクロスイッチである。位置検出スイッチＳＷ１は、内蔵式閃光装置５が使用位置にあるときオン信号を出力し、内蔵式閃光装置５が格納位置にあるときオフ信号を出力する。モードダイヤルスイッチＳＷ６は、モードダイヤル４に連動してモードダイヤル４の操作位置に応じた信号を演算回路１０１に出力する。
【００１３】
発光部４４は、内蔵式閃光装置５に設けられたキセノン管等の閃光放電管と、閃光放電管から発した閃光を被写体側に向けて反射する反射笠とを有する。発光回路１０２は、演算回路１０１からの指令により内蔵式閃光装置５の発光部４４に対する発光開始および発光停止を指示して発光制御を行う。発光回路１０２は充電回路（不図示）を含み、演算回路１０１からの指令で充電を開始し、充電が完了すると完了信号を出力する。
【００１４】
測光装置１１１は、交換レンズＬを通して被写体光量を検出し、検出信号を演算回路１０１に出力する。また、測光装置１１１は調光素子としての機能も兼ねており、内蔵式閃光装置５もしくは外付け閃光装置から発光され、被写体で反射された光を受光する。たとえば、撮影に先立ち行われる予備発光時に被写体による反射光を受光し、受光信号を時間積分し、時間積分値を演算回路１０１へ出力する。なお、測光装置１１１とは別に調光素子１０３を専用センサとして備えてもよい。また、撮像素子１２１に測光装置１１１および調光素子１０３の３つの機能を持たせて兼用してもよい。
【００１５】
焦点検出装置１０４は、交換レンズＬによる焦点位置の調節状態を検出し、検出信号を演算回路１０１へ出力する。
【００１６】
レリーズスイッチＳＷ２は、レリーズボタン３に連動してレリーズ操作信号を演算回路１０１に出力する。操作信号には、レリーズボタン３の半押し操作に対応する半押し操作信号と、半押し操作より深く押下される全押し操作に対応する全押し操作信号とがある。プレビュースイッチＳＷ５は、プレビューボタン９が押圧されるとオン信号を演算回路１０１に出力する。表示装置１１８は、内蔵式閃光装置５および外付け閃光装置の充電完了時に充電完了を示す表示を行う。表示装置１１８には、シャッタ速度、絞り値などの撮影情報や、露光オーバー、露光アンダーなどの警告マークも表示される。
【００１７】
シャッタ駆動回路１１４は、シャッタ１１５の不図示の先幕および後幕の保持および解除をそれぞれ制御する。Ｘ接点スイッチＳＷ４は、シャッタ１１５の先幕の走行が完了するとオンされてオン信号を出力し、シャッタ１１５のチャージ途中でオフされてオフ信号を出力する。絞り位置検出装置１１６は、絞り値に対応する絞り位置を検出して検出信号を演算回路１０１に出力する。絞り係止装置１１７は、駆動中の絞りを係止し、所定の絞り値で絞りを停止させる。
【００１８】
モータ駆動回路１１２は、演算回路１０１の指令によってシーケンスモータ１１３を駆動制御する。シーケンスモータ１１３は、シーケンス駆動装置１３０の駆動力を発生する駆動源である。シーケンス駆動装置１３０は、シーケンスモータ１１３の駆動力を利用して、不図示のミラーのアップ／ダウン、交換レンズＬの絞りを駆動するための絞り駆動機構（不図示）の駆動、およびシャッタ１１５のチャージなどを行う公知の機構である。シーケンススイッチＳＷ３は、シーケンス駆動装置１３０を構成し、シーケンスモータ１１３のブレーキ制御タイミングなどを発生するスイッチである。
【００１９】
レンズ駆動装置１０５は、演算回路１０１の指令により交換レンズＬの不図示のフォーカスレンズを光軸方向に進退駆動し、交換レンズＬの焦点位置を調節する。
【００２０】
カスタムセッティング操作部材１１９は、カスタム設定操作に応じて操作信号を演算回路１０１へ出力する。演算回路１０１は、カスタム設定操作信号に応じてオートフォーカスに関する設定や、露出・測光に関する設定、内蔵式閃光装置５および外付け閃光装置に関する設定などを行う。
【００２１】
感度設定操作部材１２０は、撮像感度設定操作に応じて操作信号を演算回路１０１へ出力する。演算回路１０１は、撮像感度設定操作信号に応じて撮像素子１２１の撮像感度を設定変更する。撮像感度は、たとえば、ＩＳＯ１００相当〜ＩＳＯ１６００相当の範囲で所定のステップで設定可能に構成されている。
【００２２】
上述した構成により、電子カメラ１は、電源スイッチ２の操作によって電子カメラ１の電源がオンされた状態では、モードダイヤル４でいずれかの撮影モードが選択されているときにレリーズボタン３が押圧されると、モードダイヤル４で設定された撮影モードで撮像できるようにシャッタ速度および絞り値を決定して、被写体像を撮像する。また、モードダイヤル４で再生モードが選択されている場合には、記録媒体１２６に記録された画像データを不図示の液晶モニタに表示する。
【００２３】
また、この電子カメラ１は、電源スイッチ２の操作によって電子カメラ１の電源がオンされた状態では、プレビューボタン９が押圧されている間は交換レンズＬの絞りを設定または制御絞り口径まで絞り込む。このとき、内蔵式閃光装置５が使用位置であれば、内蔵式閃光装置５のモデリング発光、または、リピーティング発光のテスト発光が行われる。以下、詳述する。
【００２４】
モデリング発光とは、内蔵式閃光装置５の発光による影の状態など、内蔵式閃光装置５による照射状態を撮影前に確認するために、発光部４４を所定時間だけ間欠的に発光させることである。またリピーティング発光とは、露光中に内蔵式閃光装置５を所定周期で所定回数発光させることであり、リピーティング発光のテスト発光とは、リピーティング発光による被写体の動きの見え方などを確認するために、撮像時のリピーティング発光と同じ条件で発光部４４を発光させることである。すなわち、モデリング発光およびリピーティング発光のテスト発光は、ともに内蔵式閃光装置５による照射状態を撮影前に確認するための発光である。
【００２５】
プレビューボタン９が押圧されている間に、交換レンズＬの絞りを設定または制御絞り口径まで絞り込むとともに内蔵式閃光装置５のモデリング発光を行うか、または、リピーティング発光のテスト発光を行うかについては、カスタムセッティング操作部材１１９によるカスタム設定操作によって決定される。すなわち、カスタム設定操作によって、プレビューボタン９が押圧されている間に、発光部４４をモデリング発光させるか、リピーティング発光のテスト発光をさせるかを選択して設定できる。また、カスタム設定操作によって、プレビューボタン９が押圧されたときに内蔵式閃光装置５が使用位置であっても発光部４４を発光させないように設定することもできる。
【００２６】
プレビューボタン９の押圧時にモデリング発光するように設定されているときには、プレビューボタン９が押圧されると、あらかじめ決められた時間（たとえば０．５秒間）、あらかじめ定められた発光周期（たとえば５０Ｈｚ〜１００Ｈｚ）で発光部４４が発光する。プレビューボタン９の押圧時にリピーティング発光のテスト発光をするように設定されているときには、リピーティング発光の発光条件として設定された所定周期（たとえば０．１秒毎）で所定回数（たとえば５回）だけ発光部４４が発光する。
【００２７】
いずれの場合であっても、プレビューボタン９が押圧されなくなると、交換レンズＬの絞りを開放するとともに、モデリング発光またはリピーティング発光のテスト発光を停止する。なお、リピーティング発光の発光条件である発光周期および発光回数は、カスタムセッティング操作部材１１９によるカスタム設定操作によって設定可能である。
【００２８】
−−−フローチャート−−−
プレビューボタン９が押圧された際に電子カメラ１の演算回路１０１で行われるカメラ動作の処理について、図３のフローチャートを参照して説明する。図３のフローチャートによるプログラムは、電子カメラ１の電源スイッチ２がオンされると起動する。
【００２９】
ステップＳ１において、プレビュースイッチＳＷ５からオン信号が出力されるまで待機する。ステップＳ１が肯定判断されるとステップＳ３へ進み、位置検出スイッチＳＷ１からオン信号が出力されているか否かを判断する。ステップＳ３が肯定判断されるとステップＳ５へ進み、カスタムセッティング操作部材１１９によるカスタム設定操作によって設定されている、プレビューボタン９が押圧された際の内蔵式閃光装置５の発光条件がどのような条件であるかを判断する。
【００３０】
ステップＳ５において、プレビューボタン９が押圧された際に内蔵式閃光装置５をモデリング発光させるように設定されていると判断されるとステップＳ７へ進む。ステップＳ７において、モードダイヤル４で設定された撮影モードなどの撮影条件にしたがって、交換レンズＬの絞りを設定または制御絞り口径まで絞り込むように演算回路１０１に接続された各部と信号を送受信するとともに、発光部４４をモデリング発光させるように発光回路１０２に信号を出力する。
【００３１】
なお、ステップＳ７および後述するステップＳ２１，Ｓ３１において実行される、交換レンズＬの絞りを設定または制御絞り口径まで絞り込むための制御内容については公知であるため詳細な説明を省略するが、おおよそ次のようなものである。演算回路１０１は、測光装置１１１から入力される検出信号に基づいて、設定されている撮像感度、露出補正量および露出モードに応じて、露光量を適正露出に近づけるようにシャッタ秒時ＴＶおよび絞り値ＡＶを演算する。そして、シーケンス駆動装置１３０によって交換レンズＬの絞りを絞り込むようにモータ駆動回路１１２へ駆動信号を出力するとともに、交換レンズＬが演算した絞り値ＡＶに対応する絞り位置となったことを絞り位置検出装置１１６からの検出信号によって検出すると、絞り係止装置１１７に絞り込みを停止するように信号を出力する。これにより、交換レンズＬの絞りが設定または制御絞り口径まで絞り込まれる。
【００３２】
ステップＳ９において、プレビュースイッチＳＷ５からオン信号が継続して出力されているか否かを判断する。ステップＳ９が肯定判断されるとステップＳ１１へ進み、あらかじめ決められたモデリング発光の継続時間（たとえば０．５秒間）を経過したか否かを判断する。ステップＳ１１が否定判断されるとステップＳ９へ戻る。ステップＳ１１が肯定判断されるとステップＳ１３へ進み、発光部４４での発光を停止するよう発光回路１０２へ信号を出力してステップＳ１５へ進む。
【００３３】
ステップＳ１５において、プレビュースイッチＳＷ５からオフ信号が出力されるまで待機する。ステップＳ１５が肯定判断されるとステップＳ１７へ進み、シーケンス駆動装置１３０によって交換レンズＬの絞りを開放するようにモータ駆動回路１１２へ駆動信号を出力してリターンする。
【００３４】
ステップＳ５において、プレビューボタン９が押圧された際に内蔵式閃光装置５をリピーティング発光させるように設定されていると判断されるとステップＳ２１へ進む。ステップＳ２１において、モードダイヤル４で設定された撮影モードなどの撮影条件にしたがって、交換レンズＬの絞りを設定または制御絞り口径まで絞り込むように演算回路１０１に接続された各部と信号を送受信するとともに、発光部４４をあらかじめ設定された条件でリピーティング発光させるように発光回路１０２に信号を出力してステップＳ２３へ進む。
【００３５】
ステップＳ２３において、プレビュースイッチＳＷ５からオン信号が継続して出力されているか否かを判断する。ステップＳ２３が肯定判断されるとステップＳ２５へ進み、あらかじめ決められたリピーティング発光の発光回数（たとえば５回）だけ発光したか否かを判断する。ステップＳ２５が否定判断されるとステップＳ２３へ戻る。ステップＳ２５が肯定判断されるとステップＳ１３へ進む。
【００３６】
ステップＳ９またはステップＳ２３が否定判断されるとステップＳ２７へ進み、発光部４４での発光を停止するよう発光回路１０２へ信号を出力するとともに、シーケンス駆動装置１３０によって交換レンズＬの絞りを開放するようにモータ駆動回路１１２へ駆動信号を出力してリターンする。
【００３７】
ステップＳ３が否定判断されるか、ステップＳ５において、プレビューボタン９が押圧されても内蔵式閃光装置５を発光させないように設定されていると判断されるとステップＳ３１へ進み、モードダイヤル４で設定された撮影モードなどの撮影条件にしたがって、交換レンズＬの絞りを設定または制御絞り口径まで絞り込むように演算回路１０１に接続された各部と信号を送受信してステップＳ３３へ進む。ステップＳ３３において、プレビュースイッチＳＷ５からオフ信号が出力されるまで待機する。ステップＳ３３が肯定判断されるとステップＳ１７へ進む。
【００３８】
このように構成される電子カメラ１におけるプレビューボタン９が押圧された際の動作をまとめると、次のようになる。プレビューボタン９が押圧されたときに（ステップＳ１肯定判断）、内蔵式閃光装置５が使用位置であれば（ステップＳ３肯定判断）、カスタム設定操作による設定にしたがって（ステップＳ５）内蔵式閃光装置５が動作する。
【００３９】
カスタム設定操作によって、プレビューボタン９の押圧時にモデリング発光するように設定されているときには（ステップＳ５でモデリング発光と判断）、プレビューボタン９が押圧されると、交換レンズＬの絞りが設定または制御絞り口径まで絞り込まれるとともに、あらかじめ定められた発光周期（たとえば５０Ｈｚ〜１００Ｈｚ）で発光部４４が発光する（ステップＳ７、ステップＳ９肯定判断、ステップＳ１１否定判断）。このモデリング発光は、あらかじめ決められた時間（たとえば０．５秒間）が経過すると終了する（ステップＳ１１肯定判断、ステップＳ１３）。
【００４０】
モデリング発光が終了した後も、プレビューボタン９が押圧され続けている間は（ステップＳ１５否定判断）、交換レンズＬの絞りが絞り込まれたままの状態となる。プレビューボタン９が押圧されなくなると（ステップＳ１５肯定判断）、交換レンズＬの絞りは開放状態に復帰される（ステップＳ１７）。
【００４１】
カスタム設定操作によって、プレビューボタン９の押圧時にリピーティング発光のテスト発光をするように設定されているときには（ステップＳ５でリピーティング発光のテスト発光と判断）、プレビューボタン９が押圧されると、交換レンズＬの絞りが設定または制御絞り口径まで絞り込まれるとともに、リピーティング発光の発光条件として設定された所定周期（たとえば０．１秒毎）で発光部４４が発光する（ステップＳ２１、ステップＳ２３肯定判断、ステップＳ２５否定判断）。このリピーティング発光のテスト発光は、リピーティング発光の発光条件として設定された所定回数（たとえば５回）だけ発光すると終了する（ステップＳ２５肯定判断、ステップＳ１３）。
【００４２】
リピーティング発光のテスト発光が終了した後も、プレビューボタン９が押圧され続けている間は（ステップＳ１５否定判断）、交換レンズＬの絞りが絞り込まれたままの状態となる。プレビューボタン９が押圧されなくなると（ステップＳ１５肯定判断）、交換レンズＬの絞りは開放状態に復帰される（ステップＳ１７）。
【００４３】
カスタム設定操作によって、プレビューボタン９の押圧時にモデリング発光またはリピーティング発光のテスト発光をするように設定されているときに、モデリング発光またはリピーティング発光のテスト発光の途中でプレビューボタン９が押圧されなくなると（ステップＳ９否定判断またはＳ２３否定判断）、モデリング発光またはリピーティング発光のテスト発光が停止されるとともに、交換レンズＬの絞りは開放状態に復帰される（ステップＳ２７）。
【００４４】
プレビューボタン９が押圧されたときに（ステップＳ１肯定判断）、内蔵式閃光装置５が格納位置であれば（ステップＳ３否定判断）、交換レンズＬの絞りが設定または制御絞り口径まで絞り込まれるが、発光部４４は発光しない（ステップＳ３１）。プレビューボタン９が押圧され続けている間は（ステップＳ３３否定判断）、交換レンズＬの絞りが絞り込まれたままの状態となるが、プレビューボタン９が押圧されなくなると（ステップＳ３３肯定判断）、交換レンズＬの絞りは開放状態に復帰される（ステップＳ１７）。
【００４５】
なお、内蔵式閃光装置５が使用位置であっても（ステップＳ３肯定判断）、カスタム設定操作によって、プレビューボタン９の押圧時にモデリング発光およびリピーティング発光のテスト発光のいずれも行わないように設定されている場合には（ステップＳ５で発光させないと判断）、交換レンズＬの絞りが設定または制御絞り口径まで絞り込まれるが、発光部４４は発光しない（ステップＳ３１）。このときもプレビューボタン９が押圧され続けている間は（ステップＳ３３否定判断）、交換レンズＬの絞りが絞り込まれたままの状態となるが、プレビューボタン９が押圧されなくなると（ステップＳ３３肯定判断）、交換レンズＬの絞りは開放状態に復帰される（ステップＳ１７）。
【００４６】
上述した電子カメラ１では、次の作用効果を奏する。
（１）  内蔵式閃光装置５のモデリング発光とリピーティング発光のテスト発光のいずれについてもプレビューボタン９が押圧されることで発光されるように構成した。これにより、モデリング発光またはリピーティング発光のテスト発光を行うためにそれぞれ別々の操作スイッチを操作する必要がないので、操作性が向上する。
【００４７】
（２）  撮像前に交換レンズＬの絞りを設定または制御絞り口径まで絞り込むプレビュー動作と同時に内蔵式閃光装置５のモデリング発光またはリピーティング発光のテスト発光を行うように構成した。これにより、被写界深度の確認と内蔵式閃光装置５による照射状態の確認とを同時に実施できるので撮影者の意図した撮影が容易になる。
【００４８】
（３）  内蔵式閃光装置５によってモデリング発光だけでなくリピーティング発光もできるように構成したので、リピーティング発光機能を有する外付け閃光装置を用いなくても、被写体の連続的な変化の様子を１つの画像として記録できるため、利便性が向上する。
【００４９】
−−−第２の実施の形態−−−
図４を参照して、本発明を適用したカメラの第２の実施の形態を説明する。以下の説明では、第１の実施の形態と同じ構成要素には同じ符号を付して相違点を主に説明する。特に説明しない点については、第１の実施の形態と同じである。図４は、電子カメラ１とアクセサリシュー６に装着された外付け閃光装置とを含むカメラシステムの構成を説明するブロック図である。本実施の形態のカメラシステムでは、外付け閃光装置１１について、第１の実施の形態における内蔵式閃光装置５と同様の発光制御を行う。以下、詳述する。
【００５０】
外付け閃光装置１１は、コントローラ２０１と、発光回路２０２と、発光部１１ａと、設定操作部材２０４と、表示装置２０５とを有する。外付け閃光装置１１が電子カメラ１のアクセサリシュー６に装着されると、電子カメラ１の演算回路１０１と外付け閃光装置１１との間が接点端子１０ａ、１０ｂおよび１０ｃによってそれぞれ接続される。接点端子１０ａは、Ｘ接点スイッチＳＷ４によるＸ接点信号の端子である。Ｘ接点の信号は、演算回路１０１が信号出力を許可しているときに接点端子１０ａを介してコントローラ２０１側に出力され、信号出力を禁止しているときはコントローラ２０１へ出力されない。接点端子１０ｂは、カメラ本体１および外付け閃光装置１１間の電気的な接地電位を共通にするためのＧＮＤ用端子である。接点端子１０ｃは、カメラ本体１および外付け閃光装置１１間の通信用端子である。
【００５１】
コントローラ２０１は、マイクロコンピュータなどによって構成される。コントローラ２０１は、外付け閃光装置１１の各ブロックから出力される信号を入力して所定の演算を行い、演算結果に基づいて制御信号を外付け閃光装置１１の各ブロックへ出力する。コントローラ２０１はさらに、接点端子１０ｃを介して演算回路１０１と通信を行い、演算回路１０１から発光光量を示す情報や、後述するようにモデリング発光、または、リピーティング発光のテスト発光に関する情報などを受信する一方、外付け閃光装置１１に設定されている発光モードを示す情報などを送信する。コントローラ２０１はまた、接点端子１０ａを介してＸ接点のオン信号が入力されると、発光回路２０２に発光指示を行う。
【００５２】
発光回路２０２は、コントローラ２０１からの指令により外付け閃光装置１１の発光部１１ａに対して発光開始および発光停止を指示して発光制御を行う。発光回路２０２は不図示の充電回路を含み、外付け閃光装置１１の不図示の電源スイッチがオンされることによって充電を開始し、充電が完了すると完了信号をコントローラ２０１へ出力する。発光部１１ａは、キセノン管等の閃光放電管と、閃光放電管から発した閃光を被写体側に向けて反射する反射笠とを有する。
【００５３】
設定操作部材２０４は、発光モードなどを設定するスイッチである。発光モードには、ＴＴＬ自動調光モードとマニュアル発光モードとが含まれる。ＴＴＬ自動調光モードは、被写体で反射された閃光器による照明光をレンズＬを通して測光装置１１１で受光し、受光光量に基づいて閃光器の発光量を自動的に調光制御するものである。マニュアル発光モードは、設定操作部材２０４によって設定された発光量で閃光器を発光するものである。
【００５４】
表示装置２０５は、外付け閃光装置１１の充電完了時に充電完了を示す表示を行う。表示装置２０５には、設定されている発光モードを示す情報も表示される。
【００５５】
制御回路１０１は、外付け閃光装置１１がアクセサリシュー６に装着されたことを検出すると、補助光が必要となる撮影状況下でも内蔵式閃光装置５を作動させずに、外付け閃光装置１１によって被写体を照明するように制御する。また、後述する外付け閃光装置１１のモデリング発光や、リピーティング発光、リピーティング発光のテスト発光の際にも内蔵式閃光装置５は作動せず、外付け閃光装置１１のみが発光する。
【００５６】
プレビューボタン９が押圧されたときに外付け閃光装置１１をモデリング発光させるか否かの設定、撮像時に外付け閃光装置１１をリピーティング発光させるか否かの設定、および、プレビューボタン９が押圧されたときに外付け閃光装置１１をリピーティング発光のテスト発光をさせるか否かの設定は、電子カメラ１側のカスタム設定操作によって設定される。プレビューボタン９が押圧されると、電子カメラ１の演算回路１０１は、カスタム設定操作による設定内容に応じて、モデリング発光、または、リピーティング発光のテスト発光を指示する信号を、接点端子１０ｃを介してコントローラ２０１に送信する。
【００５７】
このように構成されるカメラシステムでは、プレビューボタン９の押圧時にモデリング発光するように設定されているときには、プレビューボタン９が押圧されると、あらかじめ決められた時間（たとえば０．５秒間）、あらかじめ定められた発光周期（たとえば５０Ｈｚ〜１００Ｈｚ）で発光部１１ａが発光する。プレビューボタン９の押圧時にリピーティング発光のテスト発光をするように設定されているときには、リピーティング発光の発光条件として設定された所定周期（たとえば０．１秒毎）で所定回数（たとえば５回）だけ発光部１１ａが発光する。
【００５８】
いずれの場合であっても、プレビューボタン９が押圧されなくなると、交換レンズＬの絞りを開放するとともに、モデリング発光またはリピーティング発光のテスト発光を停止する。なお、リピーティング発光の発光条件である発光周期および発光回数は、カスタムセッティング操作部材１１９によるカスタム設定操作によって設定可能である。
【００５９】
上述した第２の実施の形態のカメラシステムでは、第１の実施の形態の作用効果に加えて次の作用効果を奏する。
（１）  外付け閃光装置１１のモデリング発光とリピーティング発光のテスト発光のいずれについてもプレビューボタン９が押圧されることで発光されるように構成した。これにより、モデリング発光またはリピーティング発光のテスト発光を行うためには電子カメラ１側のプレビューボタン９を押圧すればよく、それぞれ別々の操作スイッチを操作する必要がないので、操作性が向上する。また、外付け閃光装置１１は内蔵式閃光装置５と比べて発光量が大きいので、内蔵式閃光装置５だけでは困難な被写体についても適切に撮像できる。
【００６０】
−−−変形例−−−
（１）  上述の説明では、撮像時にリピーティング発光するように設定されているときには、プレビューボタン９が押圧されるとリピーティング発光のテスト発光を行うように構成しているが、本発明はこれに限定されない。たとえば、撮像時にリピーティング発光するように設定されているときであっても、プレビューボタン９が押圧されたときにはモデリング発光を行うように構成してもよい。すなわち、プレビューボタン９が押圧されたときに、内蔵式閃光装置５または外付け閃光装置１１の撮影時の発光状態とは異なる発光状態となるようにカスタム設定操作によって設定できるように構成してもよい。これにより、内蔵式閃光装置５または外付け閃光装置１１による照射状態を確認する際に撮影者にとって確認しやすい発光状態を選択できるので、照射状態の確認が容易となって、撮影者の意図する画像の撮像に寄与できる。
【００６１】
（２）  上述の説明では、内蔵式閃光装置５および外付け閃光装置１１は、いずれもキセノン管等の閃光放電管を用いた照明装置であるが、本発明はこれに限定されない。たとえば、内蔵式閃光装置５や外付け閃光装置１１の光源として、発光ダイオードなど、閃光放電管以外の光源を用いてもよい。光量や応答速度の面から閃光放電管や発光ダイオードと同様にカメラシステムの照明装置として適した光源であれば、内蔵式閃光装置５や外付け閃光装置１１の光源の種類は問わない。
【００６２】
（３）  上述の説明では、プレビューボタン９が押圧された際の外付け閃光装置１１の発光状態の設定を電子カメラ１側のカスタム設定操作によって設定するように構成されているが、本発明はこれに限定されない。たとえば、プレビューボタン９が押圧された際の外付け閃光装置１１の発光状態の設定を外付け閃光装置１１の設定操作部材２０４の操作によって外付け閃光装置１１側で設定できるように構成してもよい。また、リピーティング発光の発光条件である発光周期および発光回数についても、外付け閃光装置１１の設定操作部材２０４の操作によって外付け閃光装置１１側で設定できるように構成してもよい。
（４）  上述した各実施の形態および変形例は、それぞれ組み合わせてもよい。
【００６３】
なお、以上の説明はあくまで一例であり、本発明の特徴的な機能を損なわない限り、本発明は、上述した実施の形態に何ら限定されない。
【図面の簡単な説明】
【００６４】
【図１】第１の実施の形態の電子カメラ１の正面図である。
【図２】電子カメラ１の構成を説明するブロック図である。
【図３】プレビューボタン９が押圧された際に電子カメラ１の演算回路１０１で行われるカメラ動作の処理を示すフローチャートである。
【図４】第２の実施の形態のカメラシステムの構成を説明するブロック図である。
【符号の説明】
【００６５】
１  電子カメラ                          ５  内蔵式閃光装置
９  プレビューボタン                    １０  カメラボディ
１１  外付け閃光装置                    １１ａ  発光部
４４  発光部                            １０１  演算回路
１０２  発光回路                        １１２  モータ駆動回路
１１３  シーケンスモータ                １１６  絞り位置検出装置
１１７  絞り係止装置                    １１９  カスタムセッティング操作部材
１３０  シーケンス駆動装置              ２０１  コントローラ
２０２  発光回路                        ２０４  設定操作部材
【図１】
2007101858.tif 000003
【図２】
2007101858.tif 000004
【図３】
2007101858.tif 000005
【図４】
2007101858.tif 000006